(57)【要約】【課題】胎児の形態情報の表示作業に伴う手間を削減することが可能な、妊婦健診に用いられる超音波診断装置の提供。【解決手段】形態情報記憶部９は、複数の妊娠週数と複数の妊娠週数に応じた胎児の形態を模した複数の形態情報とを関連付けて記憶する。超音波プローブ１は、超音波を送受波する。画像発生部５は、超音波プローブ１からのエコー信号に基づいて胎児に関する超音波画像のデータを発生する。形態情報選択部１７は、胎児に関する妊娠週数に関連付けられた特定の形態情報を複数の形態情報の中から選択する。表示部１１は、選択された特定の形態情報と超音波画像とを表示する。形態情報調整部２１は、超音波画像上の胎児影上で計測される胎児の計測値に応じて特定の形態情報の少なくとも大きさを調整する。【選択図】      図１
2010187987.tif 000002
【特許請求の範囲】
【請求項１】
複数の妊娠週数と前記複数の妊娠週数に応じた胎児の形態を模した複数の形態情報とを関連付けて記憶する記憶部と、
超音波を送受波する超音波プローブと、
前記超音波プローブからのエコー信号に基づいて胎児に関する超音波画像のデータを発生する発生部と、
前記胎児に関する妊娠週数に関連付けられた特定の形態情報を前記複数の形態情報の中から選択する選択部と、
前記選択された特定の形態情報と前記超音波画像とを表示する表示部と、
前記表示されている超音波画像上の胎児影上で計測される前記胎児の計測値に応じて前記特定の形態情報の少なくとも大きさを調整する調整部と、
を具備する超音波診断装置。
【請求項２】
前記記憶部は、前記形態情報として、胎児を模した２次元ボディマーク、胎児を模した３次元ボディマーク、前記２次元ボディマークの輪郭、及び３次元ボディマークの輪郭の少なくとも１種類を記憶する、請求項１記載の超音波診断装置。
【請求項３】
前記表示部は、前記調整部により少なくとも大きさが調整された前記２次元ボディマークの輪郭、又は前記３次元ボディマークの輪郭を前記胎児影に重ねて表示する、請求項２記載の超音波診断装置。
【請求項４】
前記表示部は、前記調整部により少なくとも大きさが調整された前記２次元ボディマーク又は前記３次元ボディマークを前記胎児影に重ならないように表示する、請求項２記載の超音波診断装置。
【請求項５】
前記調整部は、ユーザからの指示に従って入力された前記胎児影の体軸周りの回転角度に応じて前記３次元ボディマーク又は前記３次元ボディマークの輪郭を体軸周りに回転させる、請求項２記載の超音波診断装置。
【請求項６】
前記記憶部は、前記複数の２次元ボディマーク又は前記複数の２次元ボディマークの輪郭のそれぞれを、さらに体軸周りの回転角度に関連付けて記憶し、
前記選択部は、ユーザからの指示に従って入力された前記胎児影の体軸周りの回転角度に応じた特定の２次元ボディマーク又は特定の２次元ボディマークの輪郭を前記複数の２次元ボディマーク又は前記複数の２次元ボディマークの輪郭の中から選択する、
請求項２記載の超音波診断装置。
【請求項７】
前記記憶部は、前記形態情報として男児に関する形態情報と女児に関する形態情報とを記憶する、請求項１記載の超音波診断装置。
【請求項８】
前記形態情報は、胎児の体の一部分を模した複数のブロックから構成され、
前記調整部は、ユーザからの指示に従って前記複数のブロックのそれぞれの少なくとも大きさを調整する、
請求項１記載の超音波診断装置。
【発明の詳細な説明】
【技術分野】
【０００１】
本発明は、妊婦健診に用いられる超音波診断装置に関する。
【背景技術】
【０００２】
妊婦健診に用いられる超音波診断装置がある。妊婦検診では、妊婦やその家族等の読影経験が乏しい者が、超音波画像に描出された胎児の状態を観察している。このような妊婦健診に用いられる超音波診断装置の応用例として、例えば、特許文献１に記載の技術がある。特許文献１に記載の技術は、読影経験が乏しい者が胎児の状態を容易に理解できるように、胎児の形態情報（ボディマークや輪郭像）を超音波画像に合成して表示するものである。より詳細には、また、予め超音波診断装置内に用意された複数の形態情報の中から超音波画像に描出された胎児影に最も近い形態情報を医師が手動で選択する。次に、選択された形態情報の輪郭が超音波画像に描出された胎児影の輪郭に沿うように、医師が形態情報を拡大や縮小、回転、移動等をして手動で調整している。そして、調整された形態情報が超音波画像に合成されて表示される。このような従来技術において、医師が複数の形態情報の中から１つを選択することは手間である。また、医師が選択された形態情報を胎児影の輪郭に沿うように調整することも手間である。このように妊婦健診において、胎児の形態情報を表示する際に医師に多大な手間がかかっている。
【先行技術文献】
【特許文献】
【０００３】
【特許文献１】特開平０７―１１６１５９号公報
【発明の概要】
【発明が解決しようとする課題】
【０００４】
本発明の目的は、妊婦健診に用いられる超音波診断装置において、胎児の形態情報の表示作業に伴う手間を削減することを目的とする。
【課題を解決するための手段】
【０００５】
本発明のある局面に係る超音波診断装置は、複数の妊娠週数と前記複数の妊娠週数に応じた胎児の形態を模した複数の形態情報とを関連付けて記憶する記憶部と、超音波を送受波する超音波プローブと、前記超音波プローブからのエコー信号に基づいて胎児に関する超音波画像のデータを発生する発生部と、前記胎児に関する妊娠週数に関連付けられた特定の形態情報を前記複数の形態情報の中から選択する選択部と、前記選択された特定の形態情報と前記超音波画像とを表示する表示部と、前記表示されている超音波画像上の胎児影上で計測される前記胎児の計測値に応じて前記特定の形態情報の少なくとも大きさを調整する調整部と、を具備する。
【発明の効果】
【０００６】
本発明によれば、妊婦健診に用いられる超音波診断装置において、胎児の形態情報の表示作業に伴う手間を削減することが可能となる。
【図面の簡単な説明】
【０００７】
【図１】本発明の第１実施形態に係わる超音波診断装置の構成を示す図である。
【図２】第１実施形態に係わるボディマークの輪郭の一例を示す図。
【図３】第１実施形態に係わる制御部の制御のもとに行なわれる形態情報の自動選択調整処理の典型的な流れを示す図。
【図４】図３のステップＳＡ２において表示される超音波画像の一例を示す図。
【図５】図３のステップＳＡ４における頭臀長の算出例を示す図。
【図６】図３のステップＳＡ４における児頭大横径の算出例を示す図。
【図７】図３のステップＳＡ７におけるボディマークの輪郭の調整処理の一例を示す図。
【図８】図３のステップＳＡ８における超音波画像とボディマークの輪郭との合成表示の一例を示す図。
【図９】本発明の第２実施形態に係わるボディマークの一例を示す図。
【図１０】第２実施形態に係わる制御部の制御のもとに行なわれる形態情報の自動選択調整処理の典型的な流れを示す図。
【図１１】図１０のステップＳＢ８における超音波画像とボディマークとの合成表示の一例を示す図。
【図１２】本発明の第３実施形態に係わるボディマークの一例を示す図。
【図１３】第３実施形態に係わる制御部の制御のもとに行なわれる形態情報の自動選択調整処理の典型的な流れを示す図。
【図１４】図１３のステップＳＣ９における超音波画像とボディマークとの合成表示の一例を示す図。
【図１５】本発明の第４実施形態に係わる超音波診断装置の構成を示す図。
【図１６】第４実施形態に係わる制御部の制御のもとに行なわれる形態情報の自動選択調整処理の典型的な流れを示す図。
【図１７】図１６のステップＳＤ１１における超音波画像とボディマークの輪郭との合成表示の一例を示す図。
【図１８】本発明の第６実施形態に係わる超音波診断装置の構成を示す図。
【図１９】第６実施形態に係わるボディマークの一例を示す図。
【図２０】第６実施形態に係わる制御部の制御のもとに行なわれる形態情報の自動選択調整処理の典型的な流れを示す図。
【図２１】図２０のステップＳＤ１１における超音波画像とボディマークの輪郭との合成表示の一例を示す図。
【図２２】図２０のステップＳＤ１１における超音波画像とボディマークとの合成表示の一例を示す図。
【発明を実施するための形態】
【０００８】
以下、図面を参照しながら本発明の実施形態に係わる超音波診断装置を説明する。本実施形態に係わる超音波診断装置は、妊婦健診に用いられるものである。
【０００９】
（第１実施形態）
図１は、本発明の第１実施形態に係わる超音波診断装置の構成を示す図である。図１に示すように、超音波診断装置は、超音波プローブ１、送受信部３、画像発生部５、画像記憶部７、形態情報記憶部９、表示部１１、入力部１３、胎児形態特定部１５、形態情報選択部１７、胎児形態特定部１９、形態情報調整部２１、及び制御部２３を備える。
【００１０】
超音波プローブ１は、送受信部３からの駆動パルスに基づいて超音波を被検体へ向けて送波する。送波された超音波は、被検体の体内組織の音響インピーダンスの不連続面で次々と反射される。反射された超音波は、エコー信号として超音波プローブ１に受信される。受信されたエコー信号は、超音波プローブ１から送受信部３へ供給される。なお、第１実施形態に係わる被検体は、妊婦であるとする。
【００１１】
送受信部３は、超音波の送波用に図示しないレートパルス発生回路、送信遅延回路、及び駆動パルス発生回路等を有している。レートパルス発生回路は、所定のレート周波数ｆrＨｚ（周期；１／ｆr秒）で、レートパルスをチャンネル毎に繰り返し発生する。遅延回路は、チャンネル毎に超音波をビーム状に集束させ且つ送信指向性を決定するのに必要な遅延時間を各レートパルスに与える。駆動パルス発生回路は、各遅延されたレートパルスに基づくタイミングで、超音波プローブ１に駆動パルスを印加する。
【００１２】
また送受信部３は、超音波の受波用に図示しないアンプ回路、Ａ／Ｄ変換器、受信遅延回路、及び加算器等を有している。アンプ回路は、超音波プローブ１からエコー信号を受信し、受信されたエコー信号をチャンネル毎に増幅する。Ａ／Ｄ変換器は、増幅されたエコー信号をチャンネル毎にアナログ信号からデジタル信号に変換する。受信遅延回路は、デジタル信号に変換されたエコー信号に対し、チャンネル毎にビーム状に集束させ且つ受信指向性を決定するのに必要な遅延時間を与える。加算器は、遅延時間が与えられた各エコー信号を加算する。この加算処理により、エコー信号の受信指向性に応じた方向からの反射成分が強調され、受信指向性と送信指向性とにより超音波ビームが形成される。１つの超音波ビームは、１つの走査線に対応する。走査線ごとのエコー信号は、画像発生部５に供給される。
【００１３】
画像発生部５は、送受信部３からエコー信号に基づいて超音波画像のデータを発生する。具体的には、画像発生部５は、エコー信号を対数増幅し、対数増幅されたエコー信号を包絡線検波し、信号強度が輝度の明るさで表現される超音波画像のデータを発生する。発生された超音波画像には、妊婦の体内に存在する胎児に関する胎児影が描出されているものとする。
【００１４】
画像記憶部７は、画像発生部５により発生された超音波画像のデータを記憶する。
【００１５】
形態情報記憶部９は、妊娠週数に応じて形態の異なる胎児を模した複数の形態情報を記憶している。形態情報記憶部９は、複数の妊娠週数と複数の形態情報とをそれぞれ関連付けて記憶している。形態情報は、妊娠週数ごとに設けられていても良いし、複数週ごとに設けられていても良い。また、形態情報の数と妊娠週数の数とが同数であってもなくてもよい。例えば、１つの妊娠週数に複数の形態情報が関連付けられていても良い。また、形態情報は、複数用意されていなくともよい。すなわち、形態情報記憶部９は、最低１つの形態情報を記憶すればよい。妊娠週数は、一般的に、最終月経の開始日を０週０日とし、この開始日からの経過日数により決定される。なお、妊娠１０週程度の初期段階では胎児の体重に個人差があまりないので、この時の推定体重から逆算して妊娠週数が補正されてもよい。
【００１６】
表示部１１は、画像記憶部７に記憶されている超音波画像のデータを読み出して表示する。また、表示部１１は、選択された形態情報を超音波画像に重ね合わせて表示する。表示部１１としては、例えばＣＲＴディスプレイや、液晶ディスプレイ、有機ＥＬディスプレイ、プラズマディスプレイ等の表示デバイスが適宜利用可能である。
【００１７】
入力部１３は、ユーザ（医師や技師）からの各種指令や情報を入力する。具体的には、入力部１３は、後述する胎児の大きさに関する種々の計測項目を計測するために必要な点を入力する。また、入力部１３は、患者情報として、胎児の妊娠週数を入力し、登録する。入力部１３としては、マウスやトラックボールなどのポインティングデバイス、モード切替スイッチ等の選択デバイス、あるいはキーボード等の入力デバイスが適宜利用可能である。
【００１８】
胎児計測部１５は、超音波画像上の胎児影の大きさに関する種々の計測項目の計測値を算出する。計測項目としては、頭臀長（ＣＲＬ：crown rump length）や児頭大横径（ＢＰＤ：biparietal diameter）等がある。
【００１９】
形態情報選択部１７は、入力部１３により入力された妊娠週数をキーとして形態情報記憶部９を検索し、複数の形態情報の中から、キーとした妊娠週数に関連付けられた形態情報を選択する。
【００２０】
胎児形態特定部１９は、胎児計測部１５により超音波画像上の胎児影上で計測される胎児の計測値に応じて、超音波画像上の胎児影の少なくとも大きさを特定する。典型的には、胎児形態特定部１９は、ユーザにより入力部１３を介して指定された２点の位置情報を利用して、超音波画像上の胎児影の表示位置と大きさと方向とを特定する。具体的には、超音波画像上における始点と終点との位置に基づいて超音波画像上における胎児影の表示位置が特定される。また、超音波画像上における始点と終点との間の距離（すなわち、頭臀長や児頭大横径）が超音波画像上における胎児影の大きさとして特定される。また、超音波画像上における始点から終点（又は終点から始点）への方向が超音波画像上における胎児影の方向として特定される。
【００２１】
形態情報調整部２１は、胎児計測部１５により超音波画像上の胎児影上で計測される胎児の計測値に応じて、胎児の形態情報の少なくとも大きさを調整する。具体的には、形態情報調整部２１は、胎児形態特定部１９により特定された超音波画像上の胎児影の表示位置と方向と大きさとに応じて、形態情報の表示位置と方向と大きさとを調整する。
【００２２】
制御部２３は、情報処理装置（計算機）としての機能を持ち、超音波診断装置の各部の動作を制御する。制御部２３は、自身が有するメモリから形態情報の自動選択調整機能を実現するためのプログラムを読み出して展開し、各部を制御することによって形態情報の自動選択調整処理を実行する。
【００２３】
次に第１実施形態に係わる形態情報について説明する。第１実施形態に係わる形態情報は、胎児を模した２次元のボディマークの輪郭に関するグラフィックデータである。図２は、ボディマークの輪郭ＢＣの一例を示す図である。図２に示すように、輪郭ＢＣは、妊娠週数に応じて複数用意されている。ここでは、一例として４週目、８週目、及び１８週目の輪郭ＢＣ１、ＢＣ２、及びＢＣ３を示しているが、臨床的には、１週間ごとや２週間ごとのようになるべく多くの輪郭が用意されていると良い。なお、必ずしも１つの輪郭に１つの妊娠週数が関連付けられていなくともよい。例えば、１つの輪郭に１つ以上の妊娠週数が関連付けられていても良い。具体例を挙げると、輪郭ＢＣ２に妊娠週数８週目だけでなく、妊娠週数５週目、６週目、７週目を関連付けても良い。
【００２４】
次に制御部２３の制御のもとに行なわれる形態情報の自動選択調整処理を妊婦健診の状況のもとで説明する。図３は、形態情報の自動選択調整処理の典型的な流れを示す図である。なお、検査対象の胎児の妊娠週数は、予め入力部１３等を介して超音波診断装置に登録されているものとする。
【００２５】
ユーザにより入力部１３を介してスキャン開始の指示がなされることを契機として制御部２３は、超音波スキャンを開始する（ステップＳＡ１）。ユーザは、超音波スキャン中、超音波プローブ１を妊婦の腹部に当て続ける。これにより画像発生部５は、胎児影が描出された超音波画像のデータを発生する。
【００２６】
超音波画像のデータが発生されると制御部２３は、表示部１１に表示処理を行なわせる（ステップＳＡ２）。表示処理において表示部１１は、図４に示すように、発生された超音波画像ＵＩを所定のレイアウトで表示する。超音波画像ＵＩには、胎児影ＴＩが描出されている。
【００２７】
超音波画像が表示されると制御部２３は、ユーザにより入力部１３を介して胎児計測のための点指定がなされることを待機する（ステップＳＡ３）。点は、次のステップＳＡ４において算出される計測項目に応じた胎児影の解剖学的な特徴点に指定される。例えば、頭臀長を算出する場合、ユーザは、胎児影の頭部先端をマウスポインタ等で指定し、次に胎児影の臀部先端をマウスポイント等で指定する。児頭大横径を算出する場合、ユーザは、胎児影の頭部の最大幅の一端をマウスポインタで指定し、次にもう一端をマウスポインタで指定する。
【００２８】
点指定がなされることを契機として（ステップＳＡ３：ＹＥＳ）、制御部２３は、胎児計測部１５に胎児計測処理を行なわせる（ステップＳＡ４）。胎児計測処理において胎児計測部１５は、指定された点に基づいて胎児影の大きさに関する計測値を算出する。例えば頭臀長ＣＲＬを算出する場合、まず図５に示すように、ステップＳＡ３においてユーザにより指定された胎児影ＴＩの頭部先端Ｐ１から臀部先端Ｐ２への超音波画像ＵＩ上での線分長Ｌ１を算出する。そして算出された線分長Ｌ１と超音波画像ＵＩの拡大率とに基づいて実際の胎児の頭臀長を算出する。また、児頭大横径ＢＰＤを算出する場合、まず図６に示すように、ステップＳＡ３においてユーザにより指定された胎児影ＴＩの頭部一端Ｐ３からもう一端Ｐ４への超音波画像ＵＩ上での線分長Ｌ２を算出する。そして算出された線分長Ｌ２と超音波画像ＵＩの拡大率とに基づいて実際の胎児の児頭大横径ＢＰＤを算出する。
【００２９】
妊娠週数が決定されると制御部２３は、形態情報選択部１７にボディマークの輪郭の選択処理を行なわせる（ステップＳＡ５）。輪郭の選択処理において形態情報選択部１７は、予め登録されている胎児の妊娠週数を読み出して、読み出された妊娠週数をキーとして形態情報記憶部９を検索し、形態情報記憶部９に記憶されている複数の輪郭の中から、キーとした妊娠週数に関連付けられた輪郭を選択する。なお、ステップＳＡ５において決定された妊娠週数に一致する輪郭がない場合、この妊娠週数に最も近い妊娠週数に関連付けられた輪郭が選択される。
【００３０】
輪郭が選択されると制御部２３は、胎児形態特定部１９に胎児形態の特定処理を行なわせる（ステップＳＡ６）。胎児形態の特定処理において胎児形態特定部１９は、ステップＳＡ３において指定された点を利用して、超音波画像上の胎児影の表示位置と大きさと向きとを特定する。この表示位置と大きさと向きとをそれぞれ説明する。表示位置は、ステップＳＡ３において指定された点の位置情報（指定された点の超音波画像上の座標）である。表示位置が特定されることにより、超音波画像上のどこに胎児影が描出されているかが特定される。大きさは、ステップＳＡ３において指定された２点間の線分長である。大きさが特定されることにより、超音波画像上に描出されている胎児影の超音波画像上の大きさが特定される。この大きさは、ステップＳＡ４において算出された線分長と同一である。従って、ステップＳＡ６において再び大きさを算出する必要はなく、ステップＳＡ４において算出された大きさ（線分長）で代用可能である。方向は、ステップＳＡ３において指定された１点からもう１点への方向（例えば、頭部から臀部への向き）である。方向が特定されることにより、超音波画像上に描出されている胎児影の方向が特定される。
【００３１】
胎児影の表示位置を大きさと方向とが特定されると制御部２３は、形態情報調整部２１にボディマークの輪郭の調整処理を行なわせる（ステップＳＡ７）。調整処理において形態情報調整部２１は、特定された胎児影の表示位置を大きさと方向とに応じて、輪郭の表示位置と大きさと方向とを調整する。典型的には、ボディマークの輪郭ＢＣが表示中の胎児影の輪郭に沿うように調整される。すなわち、特定された胎児影の表示位置を大きさと方向とに一致するようにボディマークの輪郭の表示位置と大きさと向きとを調整する。
【００３２】
図７を参照しながらステップＳＡ７をより具体的に説明する。ステップＳＡ３において、頭臀長を計測するために点Ｐ１とＰ２とが、児頭大横径を計測するために点Ｐ３と点Ｐ４とが超音波画像ＵＩに指定されたとする。輪郭ＢＣの長さは点Ｐ１と点Ｐ２との線分長Ｌ１に、輪郭ＢＣの横幅は点Ｐ３と点Ｐ４との線分長Ｌ２に設定される。また、輪郭ＢＣの頭部先端と臀部先端とを結ぶ長軸の方向は、点Ｐ１と点Ｐ２とを結ぶ線分の方向に一致される。そして輪郭ＢＣの頭部先端が点Ｐ１に一致するように、輪郭ＢＣの臀部先端が点Ｐ２に一致するように設定される。また、輪郭ＢＣの最大幅の一端が点Ｐ３に、もう一端が点Ｐ４に一致するように設定される。このようにして、超音波画像ＵＩ上の胎児影ＴＩの輪郭とボディマークの輪郭とが一致される。
【００３３】
このように、ステップＳＡ７におけるボディマークの輪郭の調整処理は、通常の妊婦健診において行なわれる胎児計測のための点指定（ステップＳＡ３）を利用して行なわれる。すなわち、輪郭の調整処理のために、ユーザの作業量が増加することはない。
【００３４】
輪郭の表示位置と大きさと向きとが調整されると制御部２３は、表示部１１に合成表示処理を行なわせる（ステップＳＡ９）。合成表示処理において表示部１１は、表示位置と大きさと方向とが調整されたボディマークの輪郭を超音波画像に重ねて表示する。典型的には、図８に示すように、ボディマークの輪郭ＢＣが超音波画像ＵＩ上の胎児影ＴＩの輪郭に沿うように、ボディマークの輪郭ＢＣが超音波画像ＵＩに重ねて表示される。
【００３５】
超音波画像のデータは、リアルタイムに繰り返し発生される。超音波画像が発生されるたびに上記のステップＳＡ１〜ステップＳＡ８を繰り返す必要はない。すなわち、一度ステップＳＡ３において点指定されれば、次に発生される超音波画像での胎児計測（ステップＳＡ４）や輪郭調整（ステップＳＡ７）は、この指定点を利用して行なわれる。指定点は解剖学的な特徴点に指定されることを利用して、指定点を追跡することができる。各超音波画像上で各指定点を追跡することで、ステップＳＡ４において計測値を算出でき、ステップＳＡ６において胎児影の表示位置と大きさと方向とを特定でき、またステップＳＡ７において輪郭の表示位置と大きさと方向とを調整できる。これにより、一度ステップＳＡ３において点指定すれば、リアルタイムに表示される超音波画像上の胎児影の輪郭に沿ってボディマークの輪郭を重ねて表示することができる。
【００３６】
また、図３に示した輪郭の自動選択調整処理の流れは一例であって、第１実施形態は図３の処理手順のみに限定されない。例えば、ステップＳＡ６における胎児形態の特定処理は、ステップＳＡ４における頭臀長や児頭大横径の算出処理と同時に行なわれてもよい。
【００３７】
上記構成によれば、胎児の妊娠週数に応じたボディマークの輪郭が自動的に選択され、選択された輪郭の表示位置と大きさと方向とが超音波画像上の胎児影の輪郭に応じて自動的に調整され、調整された輪郭が超音波画像上に重ね合わせて表示される。従って、ボディマークの輪郭を表示するためのユーザの作業量が特許文献１に記載の従来法に比して少なくなる。
【００３８】
なお、上記の形態情報の自動選択調整処理においては、超音波画像上の胎児影の大きさに関する計測値を算出してから、ボディマークの輪郭を選択するとした。しかしながら第１実施形態はこれに限定する必要はない。例えば、ステップＳＡ１のスキャン開始時にボディマークの輪郭が選択されるとしてもよい。
【００３９】
（第２実施形態）
第２実施形態に係わる形態情報は、胎児を模した２次元のボディマークである。以下、第２実施形態について説明する。なお以下の説明において、第１実施形態と略同一の機能を有する構成要素については、同一符号を付し、必要な場合にのみ重複説明する。
【００４０】
形態情報記憶部９は、形態情報として、胎児を模した２次元のボディマークに関するグラフィックデータを記憶している。図９は、２次元のボディマークＢＭの一例を示す図である。図９に示すように、ボディマークＢＭは、妊娠週数に応じて複数用意されている。ここでは、一例として４週目、８週目、及び１８週目の輪郭ＢＭ１、ＢＭ２、ＢＭ３を示しているが、臨床的には、１週間ごとや２週間ごとのようになるべく多くの輪郭が用意されていると良い。
【００４１】
形態情報調整部２１は、胎児形態特定部１９により特定された超音波画像上の胎児影の表示位置と方向と大きさとに応じて、ボディマークの表示位置と方向と大きさとを調整する。
【００４２】
図１０は、第２実施形態に係わる制御部の制御のもとに行なわれる形態情報の自動選択調整処理の典型的な流れを示す図である。図１０に示すように、第２実施形態に係わる自動選択調整処理は、図３のステップＳＡ４以後に続けて行なわれる。
【００４３】
ステップＳＡ４において胎児の大きさに関する計測値が算出されると制御部２３は、形態情報選択部１７にボディマークの選択処理を行なわせる（ステップＳＢ５）。ボディマークの選択処理において形態情報選択部１７は、予め登録されている妊娠週数をキーとして形態情報記憶部９を検索し、形態情報記憶部９に記憶されている複数のボディマークの中から、キーとした妊娠週数に関連付けられた輪郭を選択する。
【００４４】
ボディマークが選択されると制御部２３は、胎児形態特定部１９に胎児形態の特定処理を行なわせる（ステップＳＢ６）。胎児形態の特定処理において胎児形態特定部１９は、ステップＳＡ３において指定された点を利用して、超音波画像上の胎児影の表示位置と大きさと方向とを特定する。
【００４５】
胎児影の表示位置を大きさと方向とが特定されると制御部２３は、形態情報調整部２１にボディマークの調整処理を行なわせる（ステップＳＢ７）。調整処理において形態情報調整部２１は、特定された胎児影の表示位置を大きさと方向とに応じて、ボディマークの表示位置と大きさと方向とを調整する。具体的には、ボディマークの表示位置は、超音波画像上の胎児影に重ならない位置に調整される。例えば、ボディマークの表示位置は、胎児影が描出されていない超音波画像の隅である。ボディマークの大きさは、超音波画像上の胎児影の大きさに比例した大きさに調整されても良いし、予め設定された初期値でもよい。ボディマークの方向（頭部から臀部への方向）は、超音波画像上の胎児影の方向（頭部から臀部への方向）に一致させられる。
【００４６】
ボディマークの表示位置と大きさと向きとが調整されると制御部２３は、表示部１１に合成表示処理を行なわせる（ステップＳＢ８）。合成表示処理において表示部１１は、表示位置と大きさと方向とが調整されたボディマークを超音波画像に重ねて表示する。典型的には、図１１に示すように、ボディマークＢＭが超音波画像ＵＩ上の胎児影ＴＩに重ならないように、超音波画像ＵＩの隅に表示される。これにより、胎児影ＴＩを視認しやすい表示形態で超音波画像ＵＩとボディマークＢＭとを表示させることができる。
【００４７】
なお、ボディマークは超音波画像上に表示されなくとも良い。例えば、表示画面上の超音波画像の近傍に表示させてもよい。また、表示部１１は、ボディマークだけでなく、第１実施形態のようにボディマークの輪郭を胎児影の輪郭に沿うように超音波画像に重ねて表示させてもよい。
【００４８】
上記構成によれば、妊娠週数に応じたボディマークが自動的に選択され、選択されたボディマークの表示位置と大きさと方向とが超音波画像上の胎児影の輪郭に応じて自動的に調整され、調整されたボディマークが超音波画像上に表示される。従って、オリジナルの超音波画像情報を損なうことなく、胎児影の体勢を理解しやすい超音波画像を提供することができる。
【００４９】
（第３実施形態）
第３実施形態に係わる超音波診断装置は、胎児影の体軸周りの角度（以下、回転角度と呼ぶことにする）に応じて形態情報の回転角度を調整する。具体的には、第３実施形態に係わる超音波診断装置は、回転角度に応じた形態情報を用意しておき、胎児影の回転角度に応じた形態情報を重ねて表示する。以下、第３実施形態に係わる超音波診断装置について説明する。なお以下の説明において、第１及び第２実施形態と略同一の機能を有する構成要素については、同一符号を付し、必要な場合にのみ重複説明する。
【００５０】
形態情報記憶部９は、形態情報のデータを妊娠週数と回転角度とに関連付けて記憶している。第３実施形態における形態情報は、２次元のボディマークであってもその輪郭であってもどちらでも良い。以下、説明を具体的に行なうため、第３実施形態における形態情報は、ボディマークであるとする。
【００５１】
図１２に示すように、形態情報記憶部９は、各妊娠週数について複数の回転角度に関する複数のボディマークＢＭを記憶している。回転角度とはボディマークＢＭの体軸周りの回転角度である。なお図１２では便宜的に、回転角度０°をボディマークＢＭが真正面を向いている場合の角度に設定している。ここでは図１２には、一例として妊娠週数１８週目に関するボディマークＢＭを示しているが、他の妊娠週数についても同様に回転角度で細分類されているものとする。なお図１２においては、一例として１つの妊娠週数について回転角度−９０°、０°、＋９０°、及び１８０°の４種類のボディマークＢＭＡ１、ＢＭＡ２、ＢＭＡ３、及びＢＭＡ４を示しているが、４種類以下、或いは４種類以上のボディマークが用意されていてもよい。
【００５２】
形態情報選択部１７は、予め登録されている妊娠週数とユーザにより入力部１３を介して入力された回転角度とをキーとして形態情報記憶部９を検索し、複数のボディマークの中から、キーとした回転角度と妊娠週数とに関連付けられたボディマークを選択する。
【００５３】
図１３は、第３実施形態に係わる制御部２３の制御のもとに行なわれる形態情報の自動選択調整処理の典型的な流れを示す図である。図１３に示すように、第３実施形態に係わる自動選択調整処理は、図３のステップＳＡ４以後に続けて行なわれる。
【００５４】
ステップＳＡ４において胎児の大きさに関する計測値が算出されると制御部２３は、ユーザにより入力部１３を介して回転角度の入力がなされたか否かを判定する（ステップＳＣ５）。ユーザは、表示部１１に表示されている胎児影を観察し、胎児影の回転角度を判断する。回転角度入力のための入力部１３としては、マウスやトラックボール、キーボードが適宜利用可能である。
【００５５】
ステップＳＣ６５おいて回転角度の入力がなされていないと判断した場合（ステップＳＣ５：ＮＯ）、制御部２３は、ステップＳＡ５に進む。ステップＳＡ５以後は第１実施形態で説明したので、ここでの説明は省略する。
【００５６】
ステップＳＣ５において回転角度の入力がなされたと判断した場合（ステップＳＣ５：ＹＥＳ）、制御部２３は、形態情報選択部１７にボディマークの選択処理を行なわせる（ステップＳＣ６）。選択処理において形態情報選択部１７は、まず、予め登録されている妊娠週数をキーとして形態情報記憶部９を検索し、複数の妊娠週数の中からキーに対応する妊娠週数を特定する。そして形態情報選択部１７は、特定された妊娠週数についての複数の回転角度に関する複数のボディマークの中から、ステップＳＣ５において入力された回転角度に関連付けられたボディマークを選択する。この際、ステップＳＣ５において入力された回転角度に同一な回転角度に関連付けられたボディマークがない場合、最も近い回転角度に関連付けられたボディマークが選択される。例えば、ステップＳＣ５で回転角度が＋４５°であると決定されると、＋４５°に関するボディマークが選択される。形態情報記憶部９に＋４５°に関するボディマークがない場合、形態情報記憶部９に記憶されているボディマークのうち。＋４５°に最も近い回転角度に関するボディマークが選択される。
【００５７】
ボディマークが選択されると制御部２３は、胎児形態特定部１９に胎児形態の特定処理を行なわせる（ステップＳＣ７）。胎児形態の特定処理において胎児形態特定部１９は、ステップＳＡ３において指定された点を利用して、超音波画像上の胎児影の表示位置と大きさと方向とを特定する。
【００５８】
胎児影の表示位置を大きさと方向とが特定されると制御部２３は、形態情報調整部２１にボディマークの調整処理を行なわせる（ステップＳＣ８）。調整処理において形態情報調整部２１は、特定された胎児影の表示位置を大きさと方向とに応じて、ボディマークの表示位置と大きさと方向とを調整する。
【００５９】
ボディマークの表示位置と大きさと向きとが調整されると制御部２３は、表示部１１に合成表示処理を行なわせる（ステップＳＣ９）。合成表示処理において表示部１１は、表示位置と大きさと方向とが調整されたボディマークと超音波画像とを表示する。典型的には、図１４に示すように、ボディマークＢＭが超音波画像ＵＩ上の胎児影ＴＩに重ならないように、超音波画像ＵＩの隅に表示される。これにより、胎児影ＴＩの回転角度（超音波画像上での向き）に応じたボディマークＢＭを表示させることで、読影経験の乏しい者でも容易に胎児影ＴＩの回転角度を判断することができる。
【００６０】
上記構成によれば、各妊娠週数について複数の回転角度に関する複数の形態情報（ボディマーク又はボディマークの輪郭）を用意しておく。超音波画像上の胎児影の回転角度に応じた形態情報が選択されると、選択された形態情報の表示位置と大きさと方向とが超音波画像上の胎児影に応じて自動的に調整される。従って、回転角度に応じて形態情報を表示する際のユーザの作業量が軽減される。
【００６１】
（第４実施形態）
第４実施形態に係わる超音波診断装置は、胎児影の回転角度に応じて形態情報の回転角度を調整する。具体的には、第４実施形態に係わる超音波診断装置は、３次元のグラフィックスデータである形態情報を用意しておき、胎児影の回転角度に応じて形態情報を回転させて表示する。以下、第４実施形態に係わる超音波診断装置について説明する。なお以下の説明において、第１、第２、及び第３実施形態と略同一の機能を有する構成要素については、同一符号を付し、必要な場合にのみ重複説明する。
【００６２】
図１５は、第４実施形態に係わる超音波診断装置の構成を示す図である。図１５に示すように、第４実施形態に係わる超音波診断装置は、超音波プローブ１、送受信部３、画像発生部５、画像記憶部７、形態情報記憶部９、表示部１１、入力部１３、胎児計測部１５、形態情報選択部１７、胎児形態特定部１９、形態情報調整部２１、制御部２３、及び回転角度調整部２４を備えている。
【００６３】
形態情報記憶部９は、妊娠週数に応じて形態の異なる胎児を模した３次元のグラフィックスデータである形態情報のデータを妊娠週数に関連付けて記憶している。第４実施形態における形態情報は、３次元のボディマークであってもその輪郭であってもどちらでも良い。以下、説明を具体的に行なうため、第３実施形態における形態情報は、３次元のボディマークの輪郭であるとする。
【００６４】
回転角度調整部２５は、ユーザにより入力部１３を介して入力された回転角度に従って、表示中の形態情報の回転角度を調整する。
【００６５】
図１６は、第４実施形態に係わる制御部２３の制御のもとに行なわれる形態情報の自動選択調整処理の典型的な流れを示す図である。図１６に示すように、第４実施形態に係わる自動選択調整処理は、図３のステップＳＡ８以後に続けて行なわれる。
【００６６】
ステップＳＡ８においてボディマークの輪郭と超音波画像とが表示されると制御部２３は、入力部１３を介して回転角度が入力されることを待機している（ステップＳＤ９）。ユーザは、表示部１１に表示されている胎児影を観察し、胎児影の回転角度を判断し、判断した回転角度を入力部１３に入力する。
【００６７】
回転角度の入力がなされたことを契機として（ステップＳＤ９：ＹＥＳ）、制御部２３は、回転角度調整部２５に回転角度の調整処理を行なわせる（ステップＳＤ１０）。回転角度の調整処理において回転角度調整部２３は、入力された回転角度に従って表示部１１に表示されているボディマークの輪郭の回転角度を調整する。具体的には、入力された回転角度と輪郭の回転角度とが一致するように、表示中の輪郭をその体軸周りに回転させる。
【００６８】
回転角度が調整されると制御部２３は、表示部１１に合成表示処理を行なわせる（ステップＳＤ１１）。合成表示処理において表示部１１は、図１７に示すように、回転角度が調整されたボディマークの輪郭ＢＣが胎児影ＴＩの輪郭に沿うように、輪郭ＢＣを超音波画像ＵＩに重ねてリアルタイムに表示する。このように、胎児影ＴＩの回転角度に応じた輪郭ＢＣを表示させることで、読影経験の乏しい者でも容易に胎児影ＴＩの回転角度（超音波画像ＵＩ上での向き）を判断することができる。
【００６９】
上記構成によれば、３次元の形態情報（ボディマーク又はボディマークの輪郭）を用意しておく。妊娠週数に応じて形態情報が自動的に選択され、選択された形態情報の回転角度が超音波画像上の胎児影の回転角度に応じて調整される。従って、回転角度を考慮して形態情報を表示する際のユーザの作業量が軽減される。
【００７０】
なお、ユーザがステップＳＤ１０において調整された輪郭に満足できない場合は、ユーザにより入力部１３を介して回転角度を入力しなおすことで、ステップＳＤ１０、ＳＤ１１、及びＳＤ１２を繰り返すことが可能である。これにより回転角度を何度でも調整することが可能である。
【００７１】
（第５実施形態）
第５実施形態に係わる形態情報は、男女別に用意されている。以下、第５実施形態に係わる超音波診断装置について説明する。なお以下の説明において、第１、第２、第３、及び第４実施形態と略同一の機能を有する構成要素については、同一符号を付し、必要な場合にのみ重複説明する。
【００７２】
形態情報記憶部９は、形態情報を妊娠週数と性別とに関連付けて記憶している。具体的には、各妊娠週数について男、女、及び性別不明の３種類の形態情報が用意されている。第５実施形態に係わる形態情報は、ボディマークであってもボディマークの輪郭であってもよい。
【００７３】
形態情報選択部１７は、ユーザにより入力部１３を介して入力された性別情報と予め登録されている妊娠週数とをキーとして形態情報記憶部９を検索し、複数の形態情報の中から、キーとした性別情報と妊娠週数とに関連付けられた形態情報を選択する。
【００７４】
上記構成により、検査前や検査中に得られる胎児の性別情報に応じて、適切な形態情報（ボディマーク又はボディマークの輪郭）を表示させることができる。これにより、超音波画像の読影経験の乏しい者でも、一目で胎児の性別を知ることができる。また、胎児の性別に応じて形態情報を選択する手間が削減される。
【００７５】
（第６実施形態）
第６実施形態に係わる形態情報は、独立に表示位置と大きさと方向とが調整可能な複数のブロックから構成される。以下、第６実施形態に係わる超音波診断装置について説明する。なお以下の説明において、第１、第２、第３、第４、及び第５実施形態と略同一の機能を有する構成要素については、同一符号を付し、必要な場合にのみ重複説明する。
【００７６】
図１８は、第６実施形態に係わる超音波診断装置の構成を示す図である。図１８に示すように、第６実施形態に係わる超音波診断装置は、超音波プローブ１、送受信部３、画像発生部５、画像記憶部７、形態情報記憶部９、表示部１１、入力部１３、胎児計測部１５、形態情報選択部１７、胎児形態特定部１９、形態情報調整部２１、制御部２３、及びブロック調整部２７を備えている。
【００７７】
形態情報記憶部９は、複数のブロックから構成される形態情報を記憶している。ブロックは、胎児の体の一部分を模しているグラフィックデータである。なお、第６実施形態に係わる形態情報は、ボディマークであっても、ボディマークの輪郭であっても構わない。しかし以下、説明を具体的に行なうため、形態情報は、ボディマークの輪郭であるとする。この場合、ボディマークの輪郭は、複数のブロックの輪郭から構成される。
【００７８】
図１９に示すように、妊娠週数１８週目に関するボディマークの輪郭ＢＣは、例えば、頭部を模した頭部ブロックＢＣＢ１、腹部を模した腹部ブロックＢＣＢ２、左腕部を模した左腕部ブロックＢＣＢ３、右腕部を模した右腕部ブロックＢＣＢ４、左足部を模した左足部ブロックＢＣＢ５、及び右足部を模した右足部ブロックＢＣＢ６の６つのブロックから構成される。各ブロックＢＣＢ１、ＢＣＢ２、ＢＣＢ３、ＢＣＢ４、ＢＣＢ５、及びＢＣＢ６は、独立にその表示位置と大きさと方向とを調整可能である。なお形態情報ＢＣは、第１実施形態と同様、妊娠週数に関連付けて記憶されている。
【００７９】
ブロックの構成は、妊娠週数に応じて変化させてもよい。例えば、まだ、胎児が未発達な段階である妊娠週数（例えば、妊娠週数８週目程度）においては、その形態情報は、頭部ブロックと腹部ブロックとで構成されるとしてもよい。
【００８０】
ブロック調整部２７は、ユーザにより入力部１３を介して入力された各ブロックの表示位置と大きさと方向との少なくとも１つに従って、各ブロックの表示位置と大きさと方向との少なくとも１つを調整する。
【００８１】
図２０は、第６実施形態に係わる制御部の制御のもとに行なわれる形態情報の自動選択調整処理の典型的な流れを示す図である。図２０に示すように、第６実施形態に係わる自動選択調整処理は、図３のステップＳＡ８以後に続けて行なわれる。
【００８２】
ステップＳＡ８においてボディマークの輪郭と超音波画像とが合成表示されると制御部２３は、入力部１３を介して各ブロックの表示位置や大きさ、方向の調整情報が入力されることを待機している（ステップＳＥ９）。ステップＳＥ９において各ブロックは、初期的な配置で表示されている。ユーザは、表示部１１に表示されている胎児影と輪郭とを観察し、超音波画像上の胎児影の輪郭に沿うように各ブロックの表示位置や大きさ、方向の調整情報を入力する。入力方法としては、マウスを介してブロックをドラッグする方法、キーボードによる表示位置の入力等が考えられる。
【００８３】
各ブロックの調整情報の入力がなされたことを契機として（ステップＳＤ９：ＹＥＳ）、制御部２３は、ブロック調整部２７にブロックの調整処理を行なわせる（ステップＳＤ１０）。ブロックの調整処理においてブロック調整部２４は、入力された調整情報に従って表示部１１に表示されているブロックの表示位置や大きさ、方向を調整する。各ブロックの調整方法は、第１実施形態において説明した輪郭の調整方法と同様なので説明は省略する。
【００８４】
ブロックが調整されると制御部２３は、表示部１１に表示処理を行なわせる（ステップＳＤ１１）。表示処理において表示部１１は、図２１に示すように、調整されたブロック（例えば、ＢＣＢ３、ＢＣＢ４）を超音波画像ＵＩに重ねてリアルタイムに表示する。この場合、胎児影の両腕の輪郭に沿うように、左腕ブロックＢＣＢ３と右腕ブロックＢＣＢ４との表示位置と大きさと方向とが調整されている。この様にブロック単位で表示位置や大きさ、方向を調整可能とすることで、超音波画像ＵＩ上の胎児影ＴＩの体勢により近いボディマークの輪郭ＢＣを表示させることが可能となる。
【００８５】
なお、ボディマークを構成する複数のブロックの場合も上記の輪郭の調整方法と同様に調整可能である。この場合、図２２に示すように、表示位置や大きさ、方向が調整されたブロック（例えば、ＢＣＢ３、ＢＣＢ４）を含むボディマークＢＭが超音波画像ＵＩの隅に重ねて表示される。
【００８６】
上記構成により、複数のブロックで構成される形態情報（ボディマーク又はボディマークの輪郭）を用意しておくことで、ブロック単位で表示位置や大きさ、方向を調整することができる。これにより、超音波画像上の胎児影の体勢により近い形態情報を表示させることが可能となる。
【００８７】
なお、ユーザがステップＳＥ１０において調整されたブロックに満足できない場合は、ユーザにより入力部１３を介して調整情報を入力しなおすことで、ステップＳＥ１０、ＳＥ１１、及びＳＥ１２を繰り返すことが可能である。これによりブロックを何度でも調整することが可能である。
【００８８】
かくして第１、第２、第３、第４、第５、及び第６実施形態によれば、妊婦健診に用いられる超音波診断装置において、胎児の形態情報の表示作業に伴う手間を削減することが可能となる。
【００８９】
なお、発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００９０】
以上本発明によれば、妊婦健診に用いられる超音波診断装置において、胎児の形態情報の表示作業に伴う手間の削減を実現する。
【符号の説明】
【００９１】
１…超音波プローブ、３…送受信部、５…画像発生部、７…画像記憶部、９…形態情報記憶部、１１…表示部、１３…入力部、１５…胎児計測部、１７…形態情報選択部、１９…胎児形態特定部、２１…形態情報調整部、２３…制御部
【図１】
2010187987.tif 000003
【図２】
2010187987.tif 000004
【図３】
2010187987.tif 000005
【図４】
2010187987.tif 000006
【図５】
2010187987.tif 000007
【図６】
2010187987.tif 000008
【図７】
2010187987.tif 000009
【図８】
2010187987.tif 000010
【図９】
2010187987.tif 000011
【図１０】
2010187987.tif 000012
【図１１】
2010187987.tif 000013
【図１２】
2010187987.tif 000014
【図１３】
2010187987.tif 000015
【図１４】
2010187987.tif 000016
【図１５】
2010187987.tif 000017
【図１６】
2010187987.tif 000018
【図１７】
2010187987.tif 000019
【図１８】
2010187987.tif 000020
【図１９】
2010187987.tif 000021
【図２０】
2010187987.tif 000022
【図２１】
2010187987.tif 000023
【図２２】
2010187987.tif 000024